(57)【要約】【課題】  マルチパス発生等の受信環境の変化に対応した適切な再生用の加工処理を精度良く行う。【解決手段】  ノイズ低減フィルタ部１３１が、中間周波信号ＩＦＤに対して適応フィルタリング処理を施して、中間周波信号ＩＦＤに含まれるノイズを低減した信号ＦＬＤを生成する。この信号ＦＬＤの検波結果に対して、加工処理部１３３が再生用の加工処理を施す。かかる加工処理に際して、制御ユニット１９０における高速応答制御部が、受信環境の変化を反映した中間周波信号ＩＦＤと信号ＦＬＤとの誤差情報に基づいて、迅速に、高域減衰率を指定した高速ハイカット制御を生成し、加工処理部１３３における高速ハイカット処理部へ送る。この結果、誤差ＥＲＲの大きさに対応する高域減衰率に従ったハイカット処理が迅速に行われる。【選択図】  図２
2014216827.tif 000002
【特許請求の範囲】
【請求項１】
放送信号を受信して信号処理を行う放送受信装置であって、
前記放送信号を周波数変換して得られた中間周波信号を入力信号とし、前記入力信号に適応的なフィルタリング処理を施すことにより、前記入力信号におけるノイズが低減された出力信号を出力するノイズ低減フィルタ部と；
前記ノイズ低減フィルタ部の前記出力信号を検波する検波部と；
前記検波部による検波結果に対して再生用加工処理を施す加工処理部と；
前記入力信号と前記出力信号との誤差情報に基づいて前記加工処理部を制御する制御部と；
を備えることを特徴とする放送受信装置。
【請求項２】
前記中間周波信号の信号レベルを検出する第１検出部と；
前記ノイズ低減フィルタ部の前記出力信号におけるノイズレベルを検出する第２検出部と；を更に備え
前記制御部は、前記第１検出部による検出結果及び前記第２検出部による検出結果に更に基づいて、前記加工処理部を制御する、
ことを特徴とする請求項１に記載の放送受信装置。
【請求項３】
前記加工処理部は、
前記第１検出部による検出結果及び前記第２検出部による検出結果に基づいた制御が行われる通常応答加工部と；
前記通常応答加工部と直列的に接続され、前記誤差情報に基づいた制御が行われる高速応答加工部と；を備え、
前記制御部は、前記誤差情報により示される誤差量が所定量以上の場合に、前記通常応答加工部による加工を補完させるように、前記高速応答加工部による加工を制御する、
ことを特徴とする請求項２に記載の放送受信装置。
【請求項４】
前記誤差情報は、前記出力信号の包絡線信号と、前記入力信号の包絡線信号の時間平均との誤差量を示す情報である、ことを特徴とする請求項１〜３のいずれか一項に記載の放送受信装置。
【請求項５】
前記再生用加工処理には、前記検波部による検波結果から所定の周波数帯域成分を低減する帯域低減加工の処理が含まれる、ことを特徴とする請求項１〜４のいずれか一項に記載の放送受信装置。
【請求項６】
前記再生用加工処理には、ミュート加工の処理が含まれる、ことを特徴とする請求項１〜５のいずれか一項に記載の放送受信装置。
【請求項７】
前記放送信号は、ＦＭステレオ放送信号であり、
前記再生用加工処理には、セパレーション加工の処理が含まれる、ことを特徴とする請求項１〜６のいずれか一項に記載の放送受信装置。
【請求項８】
放送信号を周波数変換して得られた中間周波信号を入力信号とし、前記入力信号に適応的なフィルタリング処理を施すことにより、前記入力信号におけるノイズが低減された出力信号を出力するノイズ低減フィルタ部と；前記ノイズ低減フィルタ部の前記出力信号を検波する検波部と；前記検波部による検波結果に対して再生用加工処理を施す加工処理部と；を備える放送受信装置において使用される信号処理方法であって、
前記入力信号と前記出力信号との誤差情報を取得する取得工程と；
前記取得工程における取得結果に基づいて、前記加工処理部による前記再生用加工処理を制御する制御工程と；
を備えることを特徴とする信号処理方法。
【請求項９】
放送信号を受信して信号処理を行う放送受信装置が有するコンピュータに、請求項８に記載の信号処理方法を実行させる、ことを特徴とする信号処理プログラム。
【請求項１０】
放送信号を受信して信号処理を行う放送受信装置が有するコンピュータにより読み取り可能に、請求項９に記載の信号処理プログラムが記録されている、ことを特徴とする記録媒体。
【発明の詳細な説明】
【技術分野】
【０００１】
本発明は、放送受信装置、信号処理方法及び信号処理プログラム、及び、当該信号処理プログラムが記録された記録媒体に関する。
【背景技術】
【０００２】
従来から、ＦＭ（Frequency Modulation）放送等の放送信号を受信して処理し、音声を再生する放送受信装置が車両等の移動体に搭載されている。こうした放送受信装置では、移動体が移動することに起因して、希望放送信号の周波数帯の受信電界強度や、検波対象となる信号におけるノイズ混入量等の受信状況が変化する。このため、移動体に搭載される放送受信装置について、希望放送信号の受信状況の変化に対応して、音声再生のための信号処理の態様を変化させる自動受信制御（ＡＲＣ：Automatic Reception Control）機能を有する技術が提案されている（特許文献１参照：以下、「従来例」という）。
【０００３】
かかる従来例の技術では、希望放送信号の周波数帯の信号を周波数変換して得られた中間周波信号の信号レベルを検出することにより、希望放送信号の周波数帯の受信電界強度を検出する。そして、受信電界強度の検出結果に基づいて、検波結果の信号に対する再生用の加工処理であるミュート処理、いわゆるハイカット処理、及び、ステレオ再生に際してのセパレーション処理の制御を行うようになっている。
【０００４】
また、従来例の技術では、上述した中間周波信号に対して適応的なフィルタリング処理をノイズ低減フィルタにより施し、中間周波信号におけるノイズを低減して検波対象信号を生成するとともに、当該検波対象信号におけるノイズレベルを検出する。そして、ノイズレベルの検出結果に更に基づいて、上述した再生用の加工処理の制御を行うようになっている。
【先行技術文献】
【特許文献】
【０００５】
【特許文献１】特開２００５−１６７７１８号公報
【発明の開示】
【発明が解決しようとする課題】
【０００６】
上述した従来例の技術では、中間周波信号の信号レベルの検出結果と、ノイズ低減フィルタから出力される検波対象信号におけるノイズレベルの検出結果とに基づいて、再生用の加工処理の制御を行う。しかしながら、これらのレベル検出結果と、例えば、検波対象信号におけるマルチパス現象の発生によるマルチパス歪みとでは、相関が小さい場合がある。
【０００７】
すなわち、従来例の技術では、電界レベルに含まれるノイズ成分からマルチパス発生を検出するようにしているが、他の要因による電界レベルの変動によっても誤ってマルチパス発生を検出してしまうことがあるため、相関が小さくなる場合がある。
【０００８】
こうした誤検出等を減らすためには、再生用の加工処理の制御を行う感度を低めに設定しなければならない。また、ノイズ低減効果を確保するためには、ハイカット処理に用いられるハイカットフィルタによる最大減衰量を大きく設定していた。この結果、再生音声の高域成分の劣化が懸念される等、マルチパス歪みに対応した適切な再生用の加工処理ができない虞があった。
【０００９】
このため、マルチパス歪みに対応した適切な再生用の加工処理を行うことができる技術が望まれている。かかる要請に応えることが、本発明が解決すべき課題の一つとして挙げられる。
【００１０】
本発明は、上記の事情を鑑みてなされたものであり、中間周波信号に対して適応的なフィルタリング処理を行うノイズ低減フィルタを備える構成を採用しつつ、マルチパス発生等の受信状況の変化に対応した適切な再生用の加工処理を精度良く行うことができる放送受信装置及び信号処理方法を提供することを目的とする。
【課題を解決するための手段】
【００１１】
請求項１に記載の発明は、放送信号を受信して信号処理を行う放送受信装置であって、前記放送信号を周波数変換して得られた中間周波信号を入力信号とし、前記入力信号に適応的なフィルタリング処理を施すことにより、前記入力信号におけるノイズが低減された出力信号を出力するノイズ低減フィルタ部と；前記ノイズ低減フィルタ部の前記出力信号を検波する検波部と；前記検波部による検波結果に対して再生用加工処理を施す加工処理部と；前記入力信号と前記出力信号との誤差情報に基づいて前記加工処理部を制御する制御部と；を備えることを特徴とする放送受信装置である。
【００１２】
請求項８に記載の発明は、放送信号を周波数変換して得られた中間周波信号を入力信号とし、前記入力信号に適応的なフィルタリング処理を施すことにより、前記入力信号におけるノイズが低減された出力信号を出力するノイズ低減フィルタ部と；前記ノイズ低減フィルタ部の前記出力信号を検波する検波部と；前記検波部による検波結果に対して再生用加工処理を施す加工処理部と；を備える放送受信装置において使用される信号処理方法であって、前記入力信号と前記出力信号との誤差情報を取得する取得工程と；前記取得工程における取得結果に基づいて、前記加工処理部による前記再生用加工処理を制御する制御工程と；を備えることを特徴とする信号処理方法である。
【００１３】
請求項９に記載の発明は、放送信号を受信して信号処理を行う放送受信装置が有するコンピュータに、請求項８に記載の信号処理方法を実行させる、ことを特徴とする信号処理プログラムである。
【００１４】
請求項１０に記載の発明は、放送信号を受信して信号処理を行う放送受信装置が有するコンピュータにより読み取り可能に、請求項９に記載の信号処理プログラムが記録されている、ことを特徴とする記録媒体である。
【図面の簡単な説明】
【００１５】
【図１】本発明の一実施形態に係る放送受信装置の構成を概略的に示すブロック図である。
【図２】図１の信号処理ユニットの構成を示すブロック図である。
【図３】図２のノイズ低減フィルタ部の構成を示すブロック図である。
【図４】図３のデジタルフィルタ部の構成を示すブロック図である。
【図５】図３の適応制御部の構成を示すブロック図である。
【図６】図２の加工処理部の構成を示すブロック図である。
【図７】図１の制御ユニットの構成を示すブロック図である。
【図８】図７の通常応答制御部による加工処理の制御を説明するための図である。
【図９】図７の高速応答制御部によるハイカット加工の処理に際して、誤差量の変化に応じた最大減衰指定値の変化を説明するための図である。
【図１０】通常応答制御部によるハイカット加工の処理の制御と、高速応答制御部によるハイカット加工の処理の制御との関係を説明するための図である。
【発明を実施するための形態】
【００１６】
以下、本発明の一実施形態を、図１〜図１０を参照して説明する。なお、本実施形態においては、ＦＭステレオ音声放送の放送受信装置を例示して説明する。また、以下の説明及び図面においては、同一又は同等の要素には同一の符号を付し、重複する説明を省略する。
【００１７】
［構成］
図１には、一実施形態に係る放送受信装置１００の概略的な構成がブロック図にて示されている。なお、以下の説明におけるステレオ音声のレフトチャンネル（以下、「Ｌチャンネル」と記す）用の信号の名称には、添字「Ｌ」を付し、ライトチャンネル（以下、「Ｒチャンネル」と記す）用の信号の名称には、添字「Ｒ」を付す。
【００１８】
図１に示されるように、放送受信装置１００は、アンテナ１１０と、ＲＦ処理ユニット１２０とを備えている。また、放送受信装置１００は、信号処理ユニット１３０と、アナログ処理ユニット１４０と、スピーカユニット１６０L，１６０Rとを備えている。さらに、放送受信装置１００は、入力ユニット１７０と、制御ユニット１９０とを備えている。
【００１９】
上記のアンテナ１１０は、放送波を受信する。アンテナ１１０による受信結果は、受信信号ＲＦＳとして、ＲＦ処理ユニット１２０へ送られる。
【００２０】
上記のＲＦ処理ユニット１２０は、制御ユニット１９０から送られた選局指令ＣＳＬに従って、選択すべき物理チャンネルの信号を受信信号ＲＦＳから抽出する選局処理を行い、所定の中間周波数帯の成分を有する中間周波信号ＩＦＤを生成する。こうして生成された中間周波信号ＩＦＤは、信号処理ユニット１３０及び制御ユニット１９０へ送られる。
【００２１】
本実施形態では、ＲＦ処理ユニット１２０は、入力フィルタと、高周波増幅器（ＲＦ−ＡＭＰ：Radio Frequency-Amplifier）と、バンドパスフィルタ（以下、「ＲＦフィルタ」とも呼ぶ）とを備えている。また、ＲＦ処理ユニット１２０は、ミキサ（混合器）と、中間周波フィルタ（以下、「ＩＦフィルタ」とも呼ぶ）と、ＡＤ（Analogue to Digital）変換器（ＡＤＣ）とを備えている。さらに、ＲＦ処理ユニット１２０は、局部発振回路（ＯＳＣ）を備えている。
【００２２】
ＲＦ処理ユニット１２０では、アンテナ１１０から送られた受信信号ＲＦＳが、入力フィルタにより低周波成分が遮断された後、高周波増幅器により増幅される。高周波増幅器により増幅された信号は、ＲＦフィルタにより高周波帯の信号が選択された後、ミキサにおいて、制御ユニット１９０から供給された選局指令ＣＳＬに従って局部発振回路が発生した局部発振信号と混合される。こうしてミキサにより混合された信号のうち、予め定められた中間周波数範囲の信号がＩＦフィルタにより通過されたのち、ＡＤＣにより、デジタル信号に変換される。この変換結果が、信号処理ユニット１３０及び制御ユニット１９０へ送られる。
【００２３】
上記の信号処理ユニット１３０は、ＲＦ処理ユニット１２０から送られた中間周波信号ＩＦＤを受ける。そして、信号処理ユニット１３０は、中間周波信号ＩＦＤに対して信号処理を施して、信号ＤＭＤL，ＤＭＤRを生成する。こうして生成された信号ＤＭＤL，ＤＭＤRは、アナログ処理ユニット１４０へ送られる。
【００２４】
信号処理ユニット１３０では、後述するように、信号処理として、適応フィルタリング処理、検波処理、及び、再生用の加工処理が順次行われる。かかる適応フィルタリング処理の結果として得られる信号ＦＬＤ、及び、適応フィルタリング処理の途中段階で得られる誤差情報ＥＲＲが、制御ユニット１９０へ送られる。また、信号処理ユニット１３０では、制御ユニット１９０から送られた加工制御ＣＮＴに従って、再生用の加工処理が行われる。
【００２５】
なお、信号処理ユニット１３０の構成の詳細については、後述する。
【００２６】
上記のアナログ処理ユニット１４０は、信号処理ユニット１３０から送られた信号ＤＭＤL，ＤＭＤRを受ける。そして、アナログ処理ユニット１４０は、制御ユニット１９０による制御のもとで、出力音声信号ＡＯＳL，ＡＯＳRを生成し、スピーカユニット１６０L，１６０Rへ送る。本実施形態では、アナログ処理ユニット１４０は、ＤＡ（Digital to Analogue）変換部と、音量調整部と、パワー増幅部とを備えている。
【００２７】
アナログ処理ユニット１４０では、ＤＡ変換部が、信号処理ユニット１３０から送られた信号ＤＭＤL，ＤＭＤRのそれぞれをアナログ信号に変換する。当該アナログ信号のそれぞれは、音量調整部において、制御ユニット１９０から送られた音量調整指令ＶＬＣに従って、音量調整処理が施される。音量調整処理が施された信号のそれぞれは、パワー増幅部によりパワー増幅される。このパワー増幅の結果が、出力音声信号ＡＯＳL，ＡＯＳRとして、スピーカユニット１６０L，１６０Rへ送られる。
【００２８】
上記のスピーカユニット１６０Lは、アナログ処理ユニット１４０から送られた出力音声信号ＡＯＳLを受ける。そして、スピーカユニット１６０Lは、出力音声信号ＡＯＳLに従って、音声を再生出力する。
【００２９】
上記のスピーカユニット１６０Rは、アナログ処理ユニット１４０から送られた出力音声信号ＡＯＳRを受ける。そして、スピーカユニット１６０Rは、出力音声信号ＡＯＳRに従って、音声を再生出力する。
【００３０】
上記の入力ユニット１７０は、放送受信装置１００の本体部に設けられたキー部、あるいはキー部を備えるリモート入力装置等により構成される。ここで、本体部に設けられたキー部としては、不図示の表示ユニットに設けられたタッチパネルを用いることができる。また、キー部を有する構成に代えて、音声入力する構成を採用することもできる。入力ユニット１７０への入力結果は、入力データＩＰＤとして制御ユニット１９０へ送られる。
【００３１】
上記の制御ユニット１９０は、入力ユニット１７０から送られた入力データＩＰＤを解析する。そして、入力データＩＰＤの内容が、物理チャンネルを含む選局指定であった場合には、制御ユニット１９０は、指定された物理チャンネルに対応する選局指令ＣＳＬを生成して、ＲＦ処理ユニット１２０へ送る。また、入力データＩＰＤの内容が、音量調整指定であった場合には、制御ユニット１９０は、当該音量調整指定に対応する音量調整指令ＶＬＣを生成して、アナログ処理ユニット１４０へ送る。
【００３２】
また、制御ユニット１９０は、ＲＦ処理ユニット１２０から送られた中間周波信号ＩＦＤ、及び、信号処理ユニット１３０から送られた信号ＦＬＤ及び誤差情報ＥＲＲを受ける。そして、制御ユニット１９０は、中間周波信号ＩＦＤ、信号ＦＬＤ及び誤差情報ＥＲＲに基づいて、信号処理ユニット１３０における再生用の加工処理を制御するための加工制御ＣＮＴを生成する。こうして生成された加工制御ＣＮＴは、信号処理ユニット１３０へ送られる。
【００３３】
なお、制御ユニット１９０の構成の詳細については、後述する。
【００３４】
＜信号処理ユニット１３０の構成＞
次に、上述した信号処理ユニット１３０の構成について説明する。
【００３５】
信号処理ユニット１３０は、図２に示されるように、ノイズ低減フィルタ部１３１を備えている。また、信号処理ユニット１３０は、検波部１３２と、加工処理部１３３とを備えている。
【００３６】
上記のノイズ低減フィルタ部１３１は、ＲＦ処理ユニット１２０から送られた中間周波信号ＩＦＤを受ける。そして、ノイズ低減フィルタ部１３１は、適応アルゴリズムを利用して、ノイズ低減のための適応フィルタリング処理を施す。
【００３７】
ノイズ低減フィルタ部１３１は、フィルタリング処理が施された信号を、信号ＦＬＤとして、検波部１３２及び制御ユニット１９０へ送る。また、ノイズ低減フィルタ部１３１は、適応フィルタリング処理の途中段階で得られる誤差情報ＥＲＲを制御ユニット１９０へ送る。
【００３８】
なお、ノイズ低減フィルタ部１３１の構成の詳細については、後述する。
【００３９】
上記の検波部１３２は、ノイズ低減フィルタ部１３１から送られた信号ＦＬＤを受ける。そして、検波部１３２は、信号ＦＬＤに対する検波を行ってコンポジット信号ＤＴＤ（以下、「信号ＤＴＤ」と記す）を生成する。こうして生成された信号ＤＴＤは、加工処理部１３３へ送られる。
【００４０】
上記の加工処理部１３３は、検波部１３２から送られた信号ＤＴＤを受ける。そして、加工処理部１３３は、制御ユニット１９０から送られた加工制御ＣＮＴに従って、信号ＤＴＤに対して再生用の加工処理を施し、信号ＤＭＤL，ＤＭＤRを生成する。こうして生成された信号ＤＭＤL，ＤＭＤRは、アナログ処理ユニット１４０へ送られる。
【００４１】
なお、加工処理部１３３の構成の詳細については、後述する。
【００４２】
《ノイズ低減フィルタ部１３１の構成》
次いで、上述したノイズ低減フィルタ部１３１の構成について説明する。
【００４３】
ノイズ低減フィルタ部１３１は、図３に示されるように、自動利得制御（ＡＧＣ）部２１０と、デジタルフィルタ部２２０とを備えている。また、ノイズ低減フィルタ部１３１は、適応制御部２３０を備えている。
【００４４】
上記のＡＧＣ部２１０は、ＲＦ処理ユニット１２０から送られた中間周波信号ＩＦＤを受ける。そして、ＡＧＣ部２１０は、中間周波信号ＩＦＤを適宜増幅することにより、中間周波信号ＩＦＤの信号レベルにかかわらず、常に安定した振幅の中間周波数帯の信号ＧＣＤを生成する。こうして生成された信号ＧＣＤは、デジタルフィルタ部２２０及び適応制御部２３０へ送られる。
【００４５】
上記のデジタルフィルタ部２２０は、本実施形態では、ＦＩＲ（Finite Impulse Response）フィルタとして構成されている。このデジタルフィルタ部２２０は、ＡＧＣ部２１０から送られた信号ＧＣＤを受ける。そして、デジタルフィルタ部２２０は、適応制御部２３０から送られた係数指定ＣＥＦに従って、フィルタリング演算を行い、信号ＦＬＤを生成する。こうして生成された信号ＦＬＤは、検波部１３２、適応制御部２３０及び制御ユニット１９０へ送られる。
【００４６】
なお、デジタルフィルタ部２２０の構成については、後述する。
【００４７】
上記の適応制御部２３０は、デジタルフィルタ部２２０から送られた信号ＦＬＤ、及び、ＡＧＣ部２１０から送られた信号ＧＣＤを受ける。そして、適応制御部２３０は、これらの信号ＦＬＤ，ＧＣＤに基づいて、係数指定ＣＥＦを生成する。こうして生成された係数指定ＣＥＦは、デジタルフィルタ部２２０へ送られる。また、適応制御部２３０は、係数指定ＣＥＦの生成の途中段階で算出された誤差情報ＥＲＲを、制御ユニット１９０へ送る。
【００４８】
なお、適応制御部２３０の構成については、後述する。
【００４９】
（デジタルフィルタ部２２０の構成）
次いで、上述したデジタルフィルタ部２２０の構成について説明する。
【００５０】
デジタルフィルタ部２２０は、図４に示されるように、（Ｍ−１）個の遅延器２２１1〜２２１M-1と、Ｍ個の係数倍器２２２0〜２２２M-1とを備えている。また、デジタルフィルタ部２２０は、加算器２２３を備えている。
【００５１】
上記の遅延器２２１j（ｊ＝１〜Ｍ−１）のそれぞれは、入力した信号Ｘj-1（Ｔ）を単位遅延時間τだけ遅延させ、信号Ｘj（Ｔ＋τ）として出力する。ここで、信号Ｘ0（Ｔ）が、ＡＧＣ部２１０から送られた信号ＧＣＤとなっている。この結果、信号Ｘj（Ｔ）と信号Ｘ0（Ｔ）と関係は、次の（１）式で表される。
Ｘj（Ｔ）＝Ｘ0（Ｔ−ｊ・τ）              …（１）
【００５２】
なお、本実施形態では、遅延器２２１jのそれぞれは、周期が単位遅延時間τの不図示の基準クロックに同期して信号Ｘj-1（Ｔ）をサンプリングして、信号Ｘj（Ｔ＋τ）として出力する。このため、単位遅延時間τの間、サンプリング結果が遅延器２２１jに保持されて、出力されるようになっている。ここで、単位遅延時間τは、信号Ｘ0（Ｔ）の信号周期の１／４となっている。
【００５３】
遅延器２２１jにより生成された信号Ｘj（Ｔ）は、係数倍器２２２jへ送られる。なお、係数倍器２２２0へは、信号Ｘ0（Ｔ）が送られるようになっている。
【００５４】
上記の係数倍器２２２m（ｍ＝０〜Ｍ−１）のそれぞれは、信号Ｘm（Ｔ）、及び、適応制御部２３０から送られた係数指定ＣＥＦにおけるタップ係数Ｋm（Ｔ）を受ける。そして、係数倍器２２２mは、信号Ｘm（Ｔ）とタップ係数Ｋm（Ｔ）とを乗算する。この乗算の結果は、加算器２２３へ送られる。
【００５５】
上記の加算器２２３は、係数倍器２２２0〜２２２M-1による乗算結果［Ｘ0（Ｔ）・Ｋ0（Ｔ）］〜［ＸM-1（Ｔ）・ＫM-1（Ｔ）］を受ける。そして、加算器２２３は、次の（２）式により、信号Ｙ（Ｔ）を算出する。
Ｙ（Ｔ）＝Ｘ0（Ｔ）・Ｋ0（Ｔ）＋…＋ＸM-1（Ｔ）・ＫM-1（Ｔ）      …（２）
【００５６】
こうして算出された信号Ｙ（Ｔ）が、信号ＦＬＤとして、適応制御部２３０、検波部１３２及び制御ユニット１９０へ送られる。
【００５７】
（適応制御部２３０の構成）
次に、適応制御部２３０の構成について説明する。
【００５８】
適応制御部２３０は、図５に示されるように、２乗算出部２３１X，２３１Yと、遅延部２３２X，２３２Yと、加算部２３３X，２３３Yと、ローパスフィルタ（ＬＰＣ）部２３４と、減算部２３５とを備えている。また、適応制御部２３０は、絶対値化部２４１と、ＬＰＣ部２４２と、振幅制御部２４３と、振幅制限部２４４とを備えている。さらに、適応制御部２３０は、係数更新部２５１を備えている。
【００５９】
上記の２乗算出部２３１Xは、ＡＧＣ部２１０から送られた信号ＧＣＤ（＝Ｘ0（Ｔ））を受ける。そして、２乗算出部２３１Xは、信号｜Ｘ0（Ｔ）｜2を算出する。こうして算出された信号｜Ｘ0（Ｔ）｜2は、遅延部２３２X及び加算部２３３Xへ送られる。
【００６０】
上記の遅延部２３２Xは、２乗算出部２３１Xから送られた信号｜Ｘ0（Ｔ）｜2を単位遅延時間τだけ遅延させて、加算部２３３Xへ送る。この結果、加算部２３３Xは、信号｜Ｘ0（Ｔ）｜2と信号｜Ｘ0（Ｔ−τ）｜2とを同時に受けることになる。
【００６１】
上記の加算部２３３Xは、２乗算出部２３１Xから送られた信号｜Ｘ0（Ｔ）｜2、及び、遅延部２３２Xから送られた信号｜Ｘ0（Ｔ−τ）｜2を受ける。そして、加算部２３３Xは、次の（３）式により、エンベロープを示す包絡線信号Ｘe（Ｔ）を算出する。こうして算出された包絡線信号Ｘe（Ｔ）は、ＬＰＣ部２３４へ送られる。
Ｘe（Ｔ）＝｜Ｘ0（Ｔ）｜2＋｜Ｘ0（Ｔ−τ）｜2      …（３）
【００６２】
上記のＬＰＣ部２３４は、加算部２３３Xから送られた包絡線信号Ｘe（Ｔ）を受ける。そして、ＬＰＣ部２３４は、包絡線信号Ｘe（Ｔ）を平滑化することにより、直流の基準信号ＶTH（Ｔ）を生成する。こうして生成された基準信号ＶTH（Ｔ）は、減算部２３５へ送られる。
【００６３】
なお、包絡線信号Ｘe（Ｔ）を平滑化した直流信号を基準信号ＶTH（Ｔ）とするのは、ＦＭ放送信号（ひいては、信号ＧＣＤ（Ｔ））の振幅が本来一定であることによる。
【００６４】
上記の２乗算出部２３１Yは、デジタルフィルタ部２２０から送られた信号ＦＬＤ（＝Ｙ（Ｔ））を受ける。そして、２乗算出部２３１Yは、信号｜Ｙ（Ｔ）｜2を算出する。こうして算出された信号｜Ｙ（Ｔ）｜2は、遅延部２３２Y及び加算部２３３Yへ送られる。
【００６５】
上記の遅延部２３２Yは、２乗算出部２３１Yから送られた信号｜Ｙ（Ｔ）｜2を単位遅延時間τだけ遅延させて、加算部２３３Yへ送る。この結果、加算部２３３Yは、信号｜Ｙ（Ｔ）｜2と信号｜Ｙ（Ｔ−τ）｜2とを同時に受けることになる。
【００６６】
上記の加算部２３３Yは、２乗算出部２３１Yから送られた信号｜Ｙ（Ｔ）｜2、及び、遅延部２３２Yから送られた信号｜Ｙ（Ｔ−τ）｜2を受ける。そして、加算部２３３Yは、次の（４）式により、エンベロープを示す包絡線信号Ｙe（Ｔ）を算出する。こうして算出された包絡線信号Ｙe（Ｔ）は、減算部２３５へ送られる。
Ｙe（Ｔ）＝｜Ｙ（Ｔ）｜2＋｜Ｙ（Ｔ−τ）｜2      …（４）
【００６７】
上記の減算部２３５は、ＬＰＣ部２３４から送られた基準信号ＶTH（Ｔ）、及び、加算部２３３Yから送られた包絡線信号Ｙe（Ｔ）を受ける。そして、減算部２３５は、次の（５）式により、誤差信号ｅ（Ｔ）を算出する。こうして算出された誤差信号ｅ（Ｔ）は、絶対値化部２４１及び振幅制限部２４４へ送られる。
ｅ（Ｔ）＝Ｙe（Ｔ）−ＶTH（Ｔ）      …（５）
【００６８】
上記の絶対値化部２４１は、減算部２３５から送られた誤差信号ｅ（Ｔ）を受ける。そして、絶対値化部２４１は、誤差信号ｅ（Ｔ）の絶対値化を行って、絶対値化信号｜ｅ（Ｔ）｜を生成する。こうして生成された絶対値化信号｜ｅ（Ｔ）｜は、ＬＰＣ部２４２へ送られるとともに、誤差情報ＥＲＲとして制御ユニット１９０へ送られる。
【００６９】
なお、絶対値化信号｜ｅ（Ｔ）｜の値は、時刻Ｔにおける信号ＦＬＤに含まれるマルチパスノイズ等のノイズ量を精度良く反映した値となっている。
【００７０】
上記のＬＰＣ部２４２は、絶対値化部２４１から送られた絶対値化信号｜ｅ（Ｔ）｜を受ける。そして、ＬＰＣ部２４２は、絶対値化信号｜ｅ（Ｔ）｜を平滑化することにより、平滑化誤差信号Ｄce（Ｔ）を生成する。こうして生成された平滑化誤差信号Ｄce（Ｔ）は、振幅制御部２４３へ送られる。
【００７１】
上記の振幅制御部２４３は、ＬＰＣ部２４２から送られた平滑化誤差信号Ｄce（Ｔ）を受ける。そして、振幅制御部２４３は、平滑化誤差信号Ｄce（Ｔ）に基づいて、振幅制御ＡＣ（Ｔ）を生成する。こうして生成された振幅制御ＡＣ（Ｔ）は、振幅制限部２４４へ送られる。
【００７２】
なお、本実施形態では、振幅制御部２４３は、平滑化誤差信号Ｄce（Ｔ）が予め定められた値に達していない場合には、減衰率として「０ｄＢ」を指定した振幅制御ＡＣ（Ｔ）を生成し、振幅制限部２４４へ送る。また、振幅制御部２４３は、平滑化誤差信号Ｄce（Ｔ）が予め定められた値を超えると、平滑化誤差信号Ｄce（Ｔ）の対数値に比例する減衰率を指定した振幅制御ＡＣ（Ｔ）を生成し、振幅制限部２４４へ送るようになっている。
【００７３】
上記の振幅制限部２４４は、減算部２３５から送られた誤差信号ｅ（Ｔ）を受ける。そして、振幅制限部２４４は、振幅制御部２４３から送られた振幅制御ＡＣ（Ｔ）に従って誤差信号ｅ（Ｔ）を補正して、補正誤差信号ｅcp（Ｔ）を生成する。こうして、生成された補正誤差信号ｅcp（Ｔ）は、係数更新部２５１へ送られる。
【００７４】
なお、本実施形態では、振幅制限部２４４は、デジタルアッテネータとして構成されており、振幅制御ＡＣ（Ｔ）により指定された減衰率で誤差信号ｅ（Ｔ）を減衰させて、補正誤差信号ｅcp（Ｔ）を生成するようになっている。
【００７５】
上記の係数更新部２５１は、ＡＧＣ部２１０から送られた信号ＧＣＤ（＝Ｘ0（Ｔ））、デジタルフィルタ部２２０から送られた信号ＦＬＤ（＝Ｙ（Ｔ））、及び、振幅制限部２４４から送られた補正誤差信号ｅcp（Ｔ）を受ける。そして、係数更新部２５１は、これらの信号Ｙ（Ｔ），Ｘ0（Ｔ），ｅcp（Ｔ）に基づいて、係数指定ＣＥＦを生成する。
【００７６】
かかる係数指定ＣＥＦの生成に際して、係数更新部２５１は、補正誤差信号ｅcp（Ｔ）の値（ひいては、誤差信号ｅ（Ｔ）の値）を「０」に収束させるべく、次の（６）及び（７）式により、タップ係数Ｋm（Ｔ＋τ）を算出する。
【００７７】
Ｋm（Ｔ＋τ）＝Ｋm（Ｔ）−α・ｅcp（Ｔ）・Ｐm（Ｔ）    …（６）
ここで、
Ｐm（Ｔ）＝Ｘm（Ｔ）・Ｙ（Ｔ）＋Ｘm（Ｔ−τ）・Ｙ（Ｔ―τ）    …（７）
【００７８】
なお、（６）式における定数αは、適応制御の収束速度を定めるステップ係数であり、適応制御の安定性及び迅速性の両立の観点から、実験、シミュレーション、経験等に基づいて予め定められる。
【００７９】
こうして算出されたタップ係数Ｋ0（Ｔ＋τ）〜ＫM-1（Ｔ＋τ）が、係数指定ＣＥＦとしてデジタルフィルタ部２２０へ送られる。より詳しくは、タップ係数Ｋm（Ｔ＋τ）が、上述した係数倍器２２２mへ送られる。この結果、係数倍器２２２mに供給されるタップ係数が更新される。
【００８０】
《加工処理部１３３の構成》
次に、上述した加工処理部１３３の構成について説明する。
【００８１】
加工処理部１３３は、図６に示されるように、通常加工部２６０と、高速ハイカット処理部２７０とを備えている。ここで、通常加工部２６０は、ミュート処理部２６１と、ハイカット処理部２６２と、セパレーション処理部２６３とを備えている。
【００８２】
なお、通常加工部２６０が、通常応答加工部の機能を果たすようになっている。また、高速ハイカット処理部２７０が、高速応答加工部の機能を果たすようになっている。
【００８３】
上記のミュート処理部２６１は、検波部１３２から送られた信号ＤＴＤを受ける。そして、ミュート処理部２６１は、制御ユニット１９０から送られた加工制御ＣＮＴに含まれ、ミュート率（減衰率）が指定されたミュート制御ＭＴＣに従って、信号ＤＴＤに対してミュート処理を施して信号ＭＴＤを生成する。こうして生成された信号ＭＴＤは、ハイカット処理部２６２へ送られる。
【００８４】
なお、本実施形態では、ミュート処理部２６１は、可変デジタルアッテネータを備えて構成されている。
【００８５】
上記のハイカット処理部２６２は、ミュート処理部２６１から送られた信号ＭＴＤを受ける。そして、ハイカット処理部２６２は、制御ユニット１９０から送られた加工制御ＣＮＴに含まれ、高域遮断率が指定された通常ハイカット制御ＮＨＣに従って、信号ＭＴＤに対してハイカット処理を施して信号ＮＨＤを生成する。こうして生成された信号ＮＨＤは、高速ハイカット処理部２７０へ送られる。
【００８６】
なお、本実施形態では、ハイカット処理部２６２は、予め定められた高音帯域の遮断率を変化させることが可能な可変デジタルフィルタを備えて構成されている。
【００８７】
上記のセパレーション処理部２６３は、高速ハイカット処理部２７０から送られた信号ＨＨＤを受ける。そして、セパレーション処理部２６３は、制御ユニット１９０から送られた加工制御ＣＮＴに含まれ、コンポジット信号からのＬチャンネル信号及びＲチャンネル信号への分離度（セパレーション度）が指定されたセパレーション制御ＳＰＣに従って、信号ＨＨＤに対してセパレーション処理を施して、信号ＤＭＤL，ＤＭＤRを生成する。こうして生成された信号ＤＭＤL，ＤＭＤRは、アナログ処理ユニット１４０へ送られる。
【００８８】
なお、本実施形態では、セパレーション処理部２６３は、分離度を可変調節することが可能なマトリクス部と、ディエンファシス部とを備えて構成されている。
【００８９】
上記の高速ハイカット処理部２７０は、ハイカット処理部２６２から送られた信号ＮＨＤを受ける。そして、高速ハイカット処理部２７０は、制御ユニット１９０から送られた加工制御ＣＮＴに含まれ、高域遮断率が指定された高速ハイカット制御ＨＨＣに従って、信号ＮＨＤに対してハイカット処理を施して信号ＨＨＤを生成する。こうして生成された信号ＨＨＤは、セパレーション処理部２６３へ送られる。
【００９０】
なお、本実施形態では、高速ハイカット処理部２７０は、上述のハイカット処理部２６２の場合と同様の高音帯域の遮断率を変化させることが可能な可変デジタルフィルタを備えて構成されている。
【００９１】
＜制御ユニット１９０の構成＞
次に、上述した制御ユニット１９０の構成について説明する。
【００９２】
制御ユニット１９０は、図７に示されるように指令処理部１９１を備えている。また、制御ユニット１９０は、信号レベル検出部１９２と、ノイズレベル検出部１９３と、通常応答制御部１９４とを備えている。さらに、制御ユニット１９０は、高速応答制御部１９５を備えている。
【００９３】
上記の指令処理部１９１は、入力ユニット１７０から送られた入力データＩＰＤを受ける。そして、指令処理部１９１は、入力データＩＰＤの内容が物理チャンネルを含む選局指定であった場合には、指定された物理チャンネルに対応する選局指令ＣＳＬを生成して、ＲＦ処理ユニット１２０へ送る。また、指令処理部１９１は、入力データＩＰＤの内容が、音量調整指定であった場合には、当該音量調整指定に対応する音量調整指令ＶＬＣを生成して、アナログ処理ユニット１４０へ送る。
【００９４】
上記の信号レベル検出部１９２は、ＲＦ処理ユニット１２０から送られた中間周波信号ＩＦＤを受ける。そして、信号レベル検出部１９２は、中間周波信号ＩＦＤの信号レベルＳＬＶを検出することにより、アンテナ１１０で受信した選局中の放送信号の電界強度を検出する。信号レベル検出部１９２により検出された信号レベルは、通常応答制御部１９４へ送られる。すなわち、信号レベル検出部１９２は、第１検出部として機能するようになっている。
【００９５】
上記のノイズレベル検出部１９３は、デジタルフィルタ部２２０から送られた信号ＦＬＤを受ける。そして、ノイズレベル検出部１９３は、信号ＦＬＤに対してＡＭ（Amplitude Modulation）検波を施した後、当該ＡＭ検波の結果として得られる信号の振幅に基づいて、信号ＦＬＤにおけるノイズレベルＮＬＶを検出する。こうして検出されたノイズレベルＮＬＶは、通常応答制御部１９４へ送られる。すなわち、ノイズレベル検出部１９３は、第２検出部として機能するようになっている。
【００９６】
なお、ノイズレベルＮＬＶは、ノイズ低減フィルタ部１３１で除去できなかった信号ＦＬＤにおけるマルチパスノイズ等のノイズ量を反映した値となっている。
【００９７】
上記の通常応答制御部１９４は、信号レベル検出部１９２から送られた信号レベルＳＬＶ、及び、ノイズレベル検出部１９３から送られたノイズレベルＮＬＶを受ける。そして、通常応答制御部１９４は、信号レベルＳＬＶ及びノイズレベルＮＬＶに基づいて、上述したミュート制御ＭＴＣ、通常ハイカット制御ＮＨＣ及びセパレーション制御ＳＰＣを生成する。
【００９８】
こうして生成されたミュート制御ＭＴＣ、通常ハイカット制御ＮＨＣ及びセパレーション制御ＳＰＣは、加工制御ＣＮＴの一部として、加工処理部１３３へ送られる。ここで、通常ハイカット制御ＮＨＣは、上記の高速応答制御部１９５へも送られる。
【００９９】
なお、通常応答制御部１９４によるミュート制御ＭＴＣ、通常ハイカット制御ＮＨＣ及びセパレーション制御ＳＰＣの生成処理については、後述する。
【０１００】
上記の高速応答制御部１９５は、適応制御部２３０から送られた誤差情報ＥＲＲを受ける。そして、高速応答制御部１９５は、誤差情報ＥＲＲに基づいて、上述した高速ハイカット制御ＨＨＣを生成する。ここで、高速応答制御部１９５は、通常ハイカット制御ＮＨＣを参照しつつ、高速ハイカット制御ＨＨＣを生成するようになっている。こうして生成された高速ハイカット制御ＨＨＣは、加工制御ＣＮＴの一部として、加工処理部１３３へ送られる。
【０１０１】
なお、高速応答制御部１９５による高速ハイカット制御ＨＨＣの生成処理については、後述する。
【０１０２】
［動作］
次に、上記のように構成された放送受信装置１００の動作について、信号処理ユニット１３０の加工処理部１３３における再生用の加工処理の制御に主に着目して説明する。
【０１０３】
前提として、入力ユニット１７０には既に利用者により選局指定が入力されており、指定された物理チャンネルに対応する選局指令ＣＳＬが、ＲＦ処理ユニット１２０へ送られているものとする。また、入力ユニット１７０には既に利用者により音量調整指定が入力されており、指定された音量調整態様に対応する音量調整指令ＶＬＣが、アナログ処理ユニット１４０へ送られているものとする（図１及び図７参照）。
【０１０４】
こうした状態で、アンテナ１１０で放送波を受信すると、受信信号ＲＦＳが、アンテナ１１０からＲＦ処理ユニット１２０へ送られる。そして、ＲＦ処理ユニット１２０において、選択すべき物理チャンネルの信号を受信信号ＲＦＳから抽出する選局処理が行われる。この選局処理の結果として、所定の中間周波数帯の成分を有する中間周波信号ＩＦＤが、信号処理ユニット１３０及び制御ユニット１９０へ送られる（図１参照）。
【０１０５】
信号処理ユニット１３０では、ノイズ低減フィルタ部１３１が中間周波信号ＩＦＤを受ける。ノイズ低減フィルタ部１３１では、適応アルゴリズムを利用して、ノイズ低減のための適応フィルタリング処理を中間周波信号ＩＦＤに対して施し、信号ＦＬＤを生成する。そして、ノイズ低減フィルタ部１３１は、生成された信号ＦＬＤを検波部１３２及び制御ユニット１９０へ送る（図２参照）。
【０１０６】
また、ノイズ低減フィルタ部１３１における適応制御部２３０では、適応フィルタリング処理のためのタップ係数Ｋm（ｍ＝０〜Ｍ−１）の更新に際して、デジタルフィルタ部２２０に入力する信号ＧＣＤ（＝Ｘ0（Ｔ））の包絡線信号Ｘe（Ｔ）が、上述した（３）式により算出される。引き続き、包絡線信号Ｘe（Ｔ）が平滑化されて、基準信号ＶTH（Ｔ）が生成される（図５参照）。
【０１０７】
また、適応制御部２３０では、デジタルフィルタ部２２０にとっての出力信号ＦＬＤ（＝Ｙ（Ｔ））の包絡線信号Ｙe（Ｔ）が、上述した（４）式により算出される。引き続き、適応制御部２３０では、上述した（５）式により、包絡線信号Ｙe（Ｔ）から基準信号ＶTH（Ｔ）を差し引いた誤差信号ｅ（Ｔ）が算出される。そして、当該算出された誤差信号ｅ（Ｔ）に基づいて、タップ係数Ｋmの逐次更新が上述した（６），（７）式に従って行われ、更新結果が係数指定ＣＥＦとしてデジタルフィルタ部２２０へ送られる（図５参照）。
【０１０８】
また、適応制御部２３０では、上述した係数更新に際して、絶対値化部２４１による誤差信号ｅ（Ｔ）の絶対値化が行われる。そして、当該絶対値化の結果が、誤差情報ＥＲＲとして、制御ユニット１９０へ送られる（図５参照）。
【０１０９】
以上のように、制御ユニット１９０へは、中間周波信号ＩＦＤ、信号ＦＬＤ及び誤差情報ＥＲＲが送られる。制御ユニット１９０は、これらの中間周波信号ＩＦＤ、信号ＦＬＤ及び誤差情報ＥＲＲに基づいて、通常応答加工制御及び高速応答加工制御を行う。
【０１１０】
＜通常応答加工制御＞
制御ユニット１９０は、中間周波信号ＩＦＤ及び信号ＦＬＤに基づいて、通常応答加工制御を行う。かかる通常応答加工制御に際して、制御ユニット１９０では、信号レベル検出部１９２が、中間周波信号ＩＦＤの信号レベルＳＬＶを検出し、検出された信号レベルＳＬＶを通常応答制御部１９４へ送る。また、ノイズレベル検出部１９３が、上述のようにして、信号ＦＬＤにおけるノイズレベルＮＬＶを検出し、検出されたノイズレベルＮＬＶを通常応答制御部１９４へ送る（図７参照）。
【０１１１】
通常応答制御部１９４は、信号レベルＳＬＶ及びノイズレベルＮＬＶを監視する。そして、信号レベルＳＬＶ及びノイズレベルＮＬＶの変化に対応して、上述したミュート制御ＭＴＣ、通常ハイカット制御ＮＨＣ及びセパレーション制御ＳＰＣを生成する。
【０１１２】
かかる生成に際しては、通常応答制御部１９４は、図８（Ａ）に示されるように、信号レベルＳＬＶが閾値ＴＨS1より低い場合には、信号レベルＳＬＶに対応したミュート率を指定したミュート制御ＭＴＣを生成する。ここで、通常応答制御部１９４は、信号レベルＳＬＶが低くなるほどミュート率を高くする。
【０１１３】
また、通常応答制御部１９４は、信号レベルＳＬＶが閾値ＴＨS1と閾値ＴＨS2（＞ＴＨS1）との間である場合には、信号レベルＳＬＶに対応した高域遮断率を指定した通常ハイカット制御ＮＨＣを生成する。ここで、通常応答制御部１９４は、信号レベルＳＬＶが低くなるほど高域遮断率を高くする。
【０１１４】
また、通常応答制御部１９４は、信号レベルＳＬＶが閾値ＴＨS2より高い場合には、信号レベルＳＬＶに対応した分離度を指定したセパレーション制御ＳＰＣを生成する。ここで、通常応答制御部１９４は、信号レベルＳＬＶが低くなるほど分離度を低くする。
【０１１５】
なお、上述した閾値ＴＨS1，ＴＨS2は、再生音声におけるＳＮ比の向上の観点から、実験、シミュレーション、経験等に基づいて、予め定められる。
【０１１６】
さらに、通常応答制御部１９４は、図８（Ｂ）に示されるように、ノイズレベルＮＬＶが閾値ＴＨN1より低い場合には、ノイズレベルＮＬＶに対応した分離度を指定したセパレーション制御ＳＰＣを生成する。ここで、通常応答制御部１９４は、ノイズレベルＮＬＶが低くなるほど分離度を高くする。
【０１１７】
また、通常応答制御部１９４は、ノイズレベルＮＬＶが閾値ＴＨN1と閾値ＴＨN2（＞ＴＨN1）との間である場合には、ノイズレベルＮＬＶに対応した高域遮断率を指定した通常ハイカット制御ＮＨＣを生成する。ここで、通常応答制御部１９４は、ノイズレベルＮＬＶが低くなるほど高域遮断率を低くする。
【０１１８】
また、通常応答制御部１９４は、ノイズレベルＮＬＶが閾値ＴＨN2より高い場合には、ノイズレベルＮＬＶに対応したミュート率を指定したミュート制御ＭＴＣを生成する。ここで、通常応答制御部１９４は、ノイズレベルＮＬＶが低くなるほどミュート率を低くする。
【０１１９】
なお、通常応答制御部１９４は、ノイズレベルＮＬＶに対応した加工制御に際しては、ノイズレベルＮＬＶの変化に対応した制御の感度を低めに抑えるために、比較的緩やかに、ノイズレベルＮＬＶで定まる分離度、高域遮断率及びミュート率を制御目標値まで変化させるようになっている。
【０１２０】
通常応答制御部１９４は、以上のようにして生成されたミュート制御ＭＴＣ、通常ハイカット制御ＮＨＣ及びセパレーション制御ＳＰＣを、加工制御ＣＮＴの一部として、加工処理部１３３へ送る。
【０１２１】
＜高速応答加工制御＞
制御ユニット１９０は、誤差情報ＥＲＲに基づいて、高速応答加工制御を行う。かかる高速応答加工制御に際して、制御ユニット１９０では、高速応答制御部１９５が、図９に示されるように、誤差情報ＥＲＲの値に対応して定まる最大高域遮断率ＭＨＴを上限とする高域遮断率を指定した高速ハイカット制御ＨＨＣを生成する。
【０１２２】
なお、図９には、誤差情報ＥＲＲの値が閾値ＴＨM1未満の場合には高域遮断を行わず、誤差情報ＥＲＲの値が閾値ＴＨM1と閾値ＴＨM2（＞ＴＨM2）との間の場合には、誤差情報ＥＲＲの値が大きくなるほど、最大高域遮断率ＭＨＴ（ＥＲＲ）が増加する例が示されている。
【０１２３】
こうした高速ハイカット制御ＨＨＣの生成に際して、高速応答制御部１９５は、通常応答制御部１９４により生成されている通常ハイカット制御ＮＨＣにおいて現時点で指定されている高域遮断率を参照する。そして、高速応答制御部１９５は、図１０に示されるように、通常ハイカット制御ＮＨＣによるハイカット処理を補完するように高域遮断率を算出し、算出された高域遮断率を指定した高速ハイカット制御ＨＨＣを生成する。
【０１２４】
ここで、図１０には、時刻Ｔ0から開始されるハイカット処理において、通常ハイカット制御ＮＨＣに従った高域遮断量と、高速ハイカット制御ＨＨＣに従った高域遮断量とのデシベル単位での和が、誤差情報ＥＲＲの値に対応した最大高域遮断率ＭＨＴ（ＥＲＲ）により定まる最大高域遮断量ＴＡＴに対応する量となるように、迅速に高速ハイカット制御ＨＨＣを生成して、通常ハイカット制御ＮＨＣによるハイカット処理を補完する例が示されている。
【０１２５】
なお、高速応答制御部１９５は、通常応答制御部１９４が通常ハイカット制御ＮＨＣを生成するか否かにかかわらず、高速ハイカット制御ＨＨＣを生成する。そして、通常ハイカット制御ＮＨＣを生成していない場合には、高速応答制御部１９５は、直ちに、現時点の誤差情報ＥＲＲの値に対応して定まる最大減衰率を指定した高速ハイカット制御ＨＨＣを生成する。
【０１２６】
高速応答制御部１９５は、以上のようにして生成された高速ハイカット制御ＨＨＣを、加工制御ＣＮＴの一部として、加工処理部１３３へ送る。
【０１２７】
以上のようにして生成された加工制御ＣＮＴ（ミュート制御ＭＴＣ、通常ハイカット制御ＮＨＣ、高速ハイカット制御ＨＨＣ及びセパレーション制御ＳＰＣ）を受けた加工処理部１３３では、検波部１３２から送られた信号ＤＴＤに対して、加工制御ＣＮＴに従った加工処理を行う。すなわち、加工処理部１３３では、ミュート制御ＭＴＣに従ったミュート処理部２６１によるミュート処理、通常ハイカット制御ＮＨＣに従ったハイカット処理部２６２による通常ハイカット処理、高速ハイカット制御ＨＨＣに従った高速ハイカット処理部２７０による高速ハイカット処理、及び、セパレーション制御ＳＰＣに従ったセパレーション処理部２６３によるセパレーション処理が順次行われる。この結果、信号ＤＭＤL，ＤＭＤRが生成され、生成された信号ＤＭＤL，ＤＭＤRがアナログ処理ユニット１４０へ送られる（図６参照）。
【０１２８】
加工処理部１３３から送られた信号ＤＭＤL，ＤＭＤRを受けたアナログ処理ユニット１４０では、ＤＡ変換部、音量調整部及びパワー増幅部による信号処理が順次施され、出力音声信号ＡＯＳL，ＡＯＳRが生成される。そして、アナログ処理ユニット１４０は、生成された出力音声信号ＡＯＳL，ＡＯＳRをスピーカユニット１６０L，１６０Rへ送る（図１参照）。この結果、スピーカユニット１６０L，１６０Rが、出力音声信号ＡＯＳL，ＡＯＳRに従って、音声を再生出力する。
【０１２９】
以上説明したように、本実施形態では、ノイズ低減フィルタ部１３１が、中間周波信号ＩＦＤ（入力信号）に対して適応フィルタリング処理を施して、中間周波信号ＩＦＤに含まれるノイズを低減した信号ＦＬＤ（出力信号）を生成する。この信号ＦＬＤの検波結果に対して、加工処理部１３３が再生用の加工処理を施す。かかる加工処理に際して、制御ユニット１９０における高速応答制御部１９５が、受信状況の変化を反映した中間周波信号ＩＦＤと信号ＦＬＤとの誤差情報に基づいて、迅速に、高域減衰率を指定した高速ハイカット制御ＨＨＣを生成し、加工処理部１３３における高速ハイカット処理部２７０へ送る。この結果、誤差情報ＥＲＲの大きさに対応する高域減衰率に従ったハイカット処理が迅速に行われる。
【０１３０】
したがって、本実施形態によれば、中間周波信号に対して適応的なフィルタリング処理を行うノイズ低減フィルタを備える構成を採用しつつ、マルチパス発生等の受信状況の変化に対応した適切な再生用の加工処理を精度良く行うことができる。
【０１３１】
また、本実施形態では、制御ユニット１９０における通常応答制御部１９４が、上述した従来例の技術の加工処理の制御を行うとともに、高速応答制御部１９５が、通常応答制御部１９４による制御を補完する制御を行う。このため、従来例の技術の長所を活かしつつ、受信状況の変化に対応した更に適切な再生用の加工処理を精度良く行うことができる。
【０１３２】
［実施形態の変形］
本発明は、上記の実施形態に限定されるものではなく、様々な変形が可能である。
【０１３３】
例えば、上記の実施形態では、制御ユニット１９０における高速応答制御部１９５は、ハイカット処理の制御のみを行ったが、ミュート処理及びセパレーション処理の少なくとも一方の制御を更に行うようにしてもよい。
【０１３４】
また、上記の実施形態では、ＦＭステレオ音声放送の放送受信装置に本発明を適用したが、ＦＭモノラル音声放送の放送受信装置、音声放送以外のＦＭ放送の受信装置、位相変調（ＰＭ）放送の放送受信装置に本発明を適用してもよい。
【０１３５】
また、上記の実施形態では、図９に、誤差情報ＥＲＲの値が閾値ＴＨM1未満の場合には高域遮断を行わず、誤差情報ＥＲＲの値が閾値ＴＨM1と閾値ＴＨM2（＞ＴＨM1）との間の場合には、誤差情報ＥＲＲの値が大きくなるほど、最大高域遮断率ＭＨＴ（ＥＲＲ）が増加する例を示した。これに対し、誤差情報ＥＲＲの値が閾値ＴＨM1未満の場合にも一定の最大高域遮断率ＭＨＴ（ＥＲＲ）で高域遮断を行ったり、また、誤差情報ＥＲＲの値が閾値ＴＨM1と閾値ＴＨM2（＞ＴＨM1）との間の場合には、誤差情報ＥＲＲの値が大きくなるほど、最大高域遮断率ＭＨＴ（ＥＲＲ）を減少させるようしたりしてもよい。
【０１３６】
なお、上記の実施形態における信号処理ユニット１３０及び制御ユニット１９０を、中央処理装置（ＣＰＵ：Central Processing Unit）、ＤＳＰ（Digital Signal Processor）等を備えた演算手段としてのコンピュータとして構成し、予め用意されたプログラムを当該コンピュータで実行することにより、上記の実施形態における処理の一部又は全部を実行するようにしてもよい。このプログラムはハードディスク、ＣＤ−ＲＯＭ、ＤＶＤ等のコンピュータで読み取り可能な記録媒体に記録され、当該コンピュータによって記録媒体から読み出されて実行される。また、このプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１３７】
１００  …  放送受信装置
１３１  …  ノイズ低減フィルタ部
１３２  …  検波部
１３３  …  加工処理部
１９２  …  信号レベル検出部（第１検出部）
１９３  …  ノイズレベル検出部（第２検出部）
１９４  …  通常応答制御部（制御部の一部）
１９５  …  高速応答制御部（制御部の一部）
２６０  …  通常加工部（通常応答加工部）
２７０  …  高速ハイカット処理部（高速応答加工部）
【図１】
2014216827.tif 000003
【図２】
2014216827.tif 000004
【図３】
2014216827.tif 000005
【図４】
2014216827.tif 000006
【図５】
2014216827.tif 000007
【図６】
2014216827.tif 000008
【図７】
2014216827.tif 000009
【図８】
2014216827.tif 000010
【図９】
2014216827.tif 000011
【図１０】
2014216827.tif 000012